(57)【要約】      （修正有）【課題】ユーザが自ら複雑な美容機器を操作して、正しく安全にエステティック施術を行うことができるセルフ式美容施術システムを提供する。【解決手段】区画された施術室において、ユーザの身体表面に適用して美容施術を行う１以上のプローブ１３０〜１６０と、ユーザからの操作入力を受け付ける操作入力部と、ユーザに対して、前記プローブを用いた施術方法に関する情報を表示するディスプレイ部１２０と、本体部１１０と、を有する美容機器１００を備えた。本体部１１０は、各プローブ１３０〜１６０の動作を制御したり、ユーザからの操作入力を受け付けたりするソフトウェア機能を有しており、また、前面にディスプレイ部１２０を有している。尚、図示しないが、本体部１１０はシステム管理端末やユーザが持ち込む携帯端末などと通信可能な無線通信機能を有している。【選択図】図２
0003217315.tif 000002
【実用新案登録請求の範囲】
【請求項１】
区画された施術室において、
ユーザの身体表面に適用して美容施術を行う１以上のプローブと、
前記プローブを用いた施術方法に関する情報を記憶する手段と、
ユーザからの操作入力を受け付ける操作入力部と、
ユーザに対して、前記プローブを用いた施術方法に関する情報を表示するディスプレイ部と、
ユーザ携帯端末との通信手段と、
ユーザ携帯端末に対し、前記プローブを用いた施術方法に関する情報を送信して表示させる手段と、
ユーザ携帯端末からユーザの会員情報を受信する手段と、
ユーザによるシステム利用条件についての同意の入力を受け付ける手段と、
前記会員情報の受信があった場合にのみ本システムの利用を許可する手段と、
ユーザによるシステム利用についてポイントを付与し、当該ポイントを前記会員情報に含めてユーザ携帯端末に送信する手段と、
ユーザの利用行動についての統計情報を収集し、本システム外部の管理センタに随時送信する手段とを有する美容機器
を備えたことを特徴とするセルフ式美容施術システム。
【請求項２】
前記プローブは、温熱吸引プローブ、キャビテーションプローブ、ラジオ波プローブ、サーマルフラクションプローブからなる群から選択される１以上のプローブであることを特徴とする請求項１に記載のセルフ式美容施術システム。
【請求項３】
前記美容機器は、前記ディスプレイ部を利用したテレビ電話機能を備えており、又は前記美容機器と連携する外部端末においてテレビ電話機能を備えており、
ユーザに対して、インストラクタとのテレビ電話による操作説明を提供可能であることを特徴とする請求項１又は２に記載のセルフ式美容施術システム。
【請求項４】
前記美容機器は、所定の安全基準を超えそうな時又は超えた時に、ユーザに対して注意喚起を行い又は動作を終了する機能を有することを特徴とする請求項１から３のいずれか１項に記載のセルフ式美容施術システム。
【請求項５】
前記美容機器は、ユーザが有する電子決済手段を用いて電子決済を行う機能を有することを特徴とする請求項１から４のいずれか１項に記載のセルフ式美容施術システム。
【請求項６】
前記美容機器は、前記ユーザ携帯端末から適正なユーザ情報を受信し、かつ、前記電子決済手段を用いて電子決済が完了した場合に限り、動作可能となっていることを特徴とする請求項４又は５に記載のセルフ式美容施術システム。
【考案の詳細な説明】
【技術分野】
【０００１】
本考案は、ユーザが美容機器を用いて自らにエステティック（美容）施術を行うことができるセルフ式美容施術システムに関するものである。
【背景技術】
【０００２】
エステティック（aesthetic）とは、痩身や脱毛、美白を目的とした、身体の一部又は全部に対する美容術をいう。その施術内容は、肌の洗浄、加湿、美容液塗布、剃毛・脱毛、マッサージのほか、美容機器を用いた身体への加熱、超音波照射、電磁波照射、吸引、電気刺激などである。このように身体に刺激を与えることにより、老廃物排出、代謝促進、体内脂肪減少などの効果が得られ、ユーザが目標とする美容、痩身などの結果をもたらそうとするものである。
【先行技術文献】
【特許文献】
【０００３】
【特許文献１】特開２００３−３２５２２７号公報
【非特許文献】
【０００４】
【非特許文献１】https://crays.jp/be-be/
【非特許文献２】http://lhb.jp/be_be.html
【考案の開示】
【考案が解決しようとする課題】
【０００５】
従来、エステティックの施術は、エステティックサロンにおいて熟練した施術者によって行われていた。これは、施術についての知識、スキル、経験等が必要であることに加えて、熱や電磁はなどを発する美容機器をユーザに危険が及ばないように適切に取り扱う必要があるためである。また、複雑な美容機器の操作にも熟練している必要がある。
一般的に、エステティックサロンにおける施術料金は、１時間当たり１万円〜数万円となっているが、ユーザの間では低価格で施術できるエステティックサロンの需要が大きくなっている。
エステティックサロンにおける施術料金に大きく反映されるコストは、美容機器代と人件費である。そこで、施術者ではなくユーザが自身で施術するようにすればコスト低減できるかとも思われるが、上記のとおり、操作が複雑な美容機器を用いて正しく安全に施術するためには、どうしても熟練した施術者による施術が必要となる。
【０００６】
本考案は、このような実情に鑑みてなされたものであり、ユーザが自ら複雑な美容機器を操作して、正しく安全にエステティック施術を行うことができるセルフ式美容施術システムを提供しようとするものである。
上記解決課題に鑑みて鋭意研究の結果、本考案者は、美容機器において、操作方法や施術の注意点・コツなどを映像・音声を用いて案内する機能を備えることにより、ユーザが自ら正しく安全にエステティック施術を行うことが可能となることに想到し、本考案を成すに至った。
【０００７】
すなわち、本考案は、区画された施術室において、ユーザの身体表面に適用して美容施術を行う１以上のプローブと、ユーザからの操作入力を受け付ける操作入力部と、ユーザに対して、前記プローブを用いた施術方法に関する情報を表示するディスプレイ部と、を有する美容機器を備えたことを特徴とするセルフ式美容施術システムを提供するものである。
【０００８】
本考案のセルフ式美容施術システムにおいて、前記プローブは、温熱吸引プローブ、キャビテーションプローブ、ラジオ波プローブ、サーマルフラクションプローブからなる群から選択される１以上のプローブであることを特徴とする。
【０００９】
本考案のセルフ式美容施術システムにおいて、前記美容機器は、前記ディスプレイ部を利用したテレビ電話機能を備えており、又は前記美容機器と連携する外部端末においてテレビ電話機能を備えており、ユーザに対して、インストラクタとのテレビ電話による操作説明を提供可能であることを特徴とする。
【００１０】
本考案のセルフ式美容施術システムにおいて、前記美容機器は、所定の安全基準を超えそうな時又は超えた時に、ユーザに対して注意喚起を行い又は動作を終了する機能を有することを特徴とする。
【００１１】
本考案のセルフ式美容施術システムにおいて、前記美容機器は、ユーザ携帯端末との通信機能を有しており、ユーザ携帯端末に対して前記プローブを用いた施術方法に関する情報を送信し、ユーザ携帯端末からユーザ情報を受信する機能を有することを特徴とする。
【００１２】
本考案のセルフ式美容施術システムにおいて、前記美容機器は、ユーザが有する電子決済手段を用いて電子決済を行う機能を有することを特徴とする。
【００１３】
本考案のセルフ式美容施術システムにおいて、前記美容機器は、前記ユーザ携帯端末から適正なユーザ情報を受信し、かつ、前記電子決済手段を用いて電子決済が完了した場合に限り、動作可能となっていることを特徴とする。
【考案の効果】
【００１４】
以上、説明したように、本考案によれば、ユーザが自ら複雑な美容機器を操作して、正しく安全にエステティック施術を行うことができるセルフ式美容施術システムが提供される。
【図面の簡単な説明】
【００１５】
【図１】本考案のセルフ式美容施術システムを実施するための施術室の全体構成を模式的に示す図である。
【図２】本考案のセルフ式美容施術システムにおいて用いる美容機器の構成を模式的に示す図である。
【図３】本考案のセルフ式美容施術システムにおいてユーザが美容機器を用いて自身に施術を行う様子を示す図である。
【図４】本考案のセルフ式美容施術システムの美容機器のディスプレイ部の画面動作について説明する図である。
【考案を実施するための最良の形態】
【００１６】
以下、添付図面を参照しながら、本考案のセルフ式美容施術システムを実施するための最良の形態を詳細に説明する。図１〜図４は、本考案の実施の形態を例示する図であり、これらの図において、同一の符号を付した部分は同一物を表わし、基本的な構成及び動作は同様であるものとする。
【００１７】
システム構成
図１は、本考案のセルフ式美容施術システムを実施するための施術室の全体構成を模式的に示す図である。
図１において、施術室には、壁や間仕切り、カーテンなどによって仕切られた区画であり、美容機器１００と、エステ剤収容具２００と、姿見３００と、椅子４００とが備えられている。
【００１８】
エステ剤収容具２００は、美容液、ジェル等ユーザの身体に塗布する液体のボトルを収容している。姿見３００は、全身又は半身を写すことができる鏡である。椅子４００は、施術時にユーザが座るためのものであるが、ベッドなどで代替してもよい。
【００１９】
図２は、図１に示す美容機器１００の構成を模式的に示す図である。
図２において、美容機器１００は、本体部１１０と、各種施術用プローブ１３０〜１６０とを有している。
本体部１１０は、各プローブ１３０〜１６０の動作を制御したり、ユーザからの操作入力を受け付けたりするソフトウェア機能を有しており、また、前面にディスプレイ部１２０を有している。尚、図示しないが、本体部１１０はシステム管理端末やユーザが持ち込む携帯端末などと通信可能な無線通信機能を有している。
【００２０】
温熱吸引プローブ１３０は、先端面を肌に密着させて内部に負圧（数ｋＰａ〜数十ｋＰａ）をかけることにより皮膚層を吸引するものである。先端面を加熱して施術部位を温めながら吸引することもできる。皮下の老廃物をリンパへ流し込み、凝り固まった皮下脂肪をほぐす効果がある。
キャビテーションプローブ１４０は、先端面を肌に密着させて超音波（数十ｋＨｚ）を照射するものである。超音波照射によって皮下の体液の圧力が低下することで発生するキャビテーション（空洞状態）が、照射を止めた後に圧力が戻って解消する際に、局所的に発生する衝撃圧によって、皮下の脂肪細胞を共振させ刺激を与える効果がある。
ラジオ波プローブ１５０は、先端面を肌に密着させてラジオ波（約２ＭＨｚの高周波）を照射するものである。ラジオ波照射によって体内の水分などを振動させて局所的に体温を上昇させ（３〜５℃程度）、細胞内の老廃物の排出促進、血行促進により代謝を向上させる効果がある。また、ラジオ波プローブ１５０の先端面にＬＥＤ（波長約６４４ｎｍ）を兼ね備えることにより、ＬＥＤによる更なる血行促進効果を得ることができる。
サーマルフラクションプローブ１６０は、ラジオ波を照射するものであるが、先端面に複数の照射源を並べて配置したものである。これにより、身体の深部にまで照射をすることが可能となっている。（非特許文献１，２参照。）
【００２１】
システムの利用形態
以下図１に示す施術室において、図２に示した美容機器１００を用いてユーザが自ら施術する方法について説明する。
図３は、本システムにおいてユーザが美容機器１００を用いて自身に施術を行う様子を示す図である。ユーザは、椅子４００に座って、美容機器１００のプローブ１３０〜１６０のいずれかを手に取り、所望の施術箇所にプローブ先端を当てて施術を行うことができる。施術にあたっては、適宜、エステ剤収容具２００に収容されている美容液、ジェル等を身体に塗布することができる。
【００２２】
図４は、本システムの美容機器１００のディスプレイ部１２０の画面動作について説明する図である。ディスプレイ部１２０は、タッチセンサ式で操作することができる。
美容機器１００の動作を開始させると、まず、ディスプレイ部１２０には、図４の上段に示す機能選択画面が表示される。ユーザは、表示された機能（プローブ）のうち好みのものを選択する。
続いて、図４の中段に示す、選択された機能（プローブ）を利用するにあたり注意事項が表示される。ユーザがけがなどのトラブルを被らないよう重要な注意点が記載されている。ユーザがこの注意事項を確認し、自己責任で美容機器１００を利用して自己施術を行うことに同意して、画面右下の同意ボタンを押さない限り、次の画面に進めないようになっている。
続いて、図４の下段に示す動作設定画面が表示される。この画面では、顔用・ボディ用の選択、出力レベルの選択、動作時間の選択を入力することができる。これらの設定に関して、予め美容機器１００に設定された設定により動作する自動モードを選択することもできる。
【００２３】
本システムの美容機器１００は、上記に加えて、以下のような機能を有している。
＜操作説明機能＞
ユーザが選択したプローブの取り扱い方法、施術方法、注意点を示す文章、動画などをディスプレイ部１２０に表示する（あるいは音声ガイダンスでもよい）。これによりユーザは適切に機器を扱って施術を行うことができる。
あるいは、ディスプレイ部１２０ではなく、ボードに記載したものを施術室内に掲示するようにしてもよい。
＜危険防止機能＞
機器の出力レベルや温度、使用時間などに所定の安全基準を設けておき、その基準を超えそうな時にディスプレイ部１２０にアラート表示し、また、その基準を超えた時には機器の動作を終了する。また、ユーザが危険を感じた時に押すための非常停止ボタンを画面上に表示してもよい。機器の誤った使用によるユーザのけがやトラブルを防止することができる。
＜操作ガイダンス機能＞
ディスプレイ部１２０と図示しない撮影・録音機能を利用したテレビ電話機能を備えている。ユーザは、遠隔地に居るインストラクタとテレビ電話で通話を行いながら、詳しい操作説明を受けることができる。
あるいは、美容機器１００と連携する外部のタブレット端末においてテレビ電話機能を実現してもよい。
＜ユーザ同意入力機能＞
ディスプレイ部１２０において、ユーザが自己施術するにあたっての注意事項や危険事項、サービス提供側の免責事項などを表示した上で、ユーザが同意する旨を入力させることで、ユーザが同意の上で本システムを利用したことを記録することができる。
＜遠隔操作機能＞
本システムとは遠隔地にある管理センタと通信可能であり、管理センタから遠隔操作を行うことができるようになっている。
＜ユーザ端末通信機能＞
有線又は無線の通信手段によってユーザが持ち込んだ携帯端末と通信できるようになっている。上記の操作説明機能、操作ガイダンス機能、ユーザ同意入力機能の一部又は全部をユーザ携帯端末において行うようにすることができる。また、ユーザ携帯端末からの任意の情報を入力することもできる。例えば、ユーザの会員情報を取得し、来店回数等に応じたポイントサービスなどを実施することができる。
＜電子決済機能＞
ユーザ端末通信機能を使用して、ユーザ携帯端末との間で電子決済を行うことができる。あるいは、ユーザが予め支払い済みであることを証明するバーコードや認証コードを持ち込み、これを入力することで決済を行うことができる。あるいは、ＩＣカードリーダを備えて、ＩＣカードによる決済を行ってもよい。
尚、いずれの媒体を用いてもよく、プリペイド方式、ジャストペイ方式、ポストペイ方式のいずれの決済方式でもよい。
＜会員情報送受信機能＞
ユーザが持ち込んだ会員カードに対して読み書きする機能を有する。会員カードからユーザの会員情報を取得し、ポイント付与などのサービスを実施する。上記のユーザ端末通信機能を利用してユーザ携帯端末を会員カードとしてもよい。
また、会員カードの提示がなければシステムが作動しない仕組みとすることで、悪用・乱用の防止策となる。
＜統計情報収集機能＞
ユーザのサービス利用行動についての統計情報を収集し、随時管理センタに送信する。これにより多数店舗からビッグデータを収集することができ、マーケティング等に利用することが出来る。例えば、店舗毎、マシン毎の時間帯による稼働率を把握することで店舗管理に活用することができる。
【００２４】
以上、本考案のセルフ式美容施術システムについて、具体的な実施の形態を示して説明したが、本考案はこれらに限定されるものではない。当業者であれば、本考案の要旨を逸脱しない範囲内において、上記各実施形態における美容機器やその付随品の構成及び機能に様々な変更・改良を加えることが可能である。
【産業上の利用可能性】
【００２５】
本考案のセルフ式美容施術システムは、図２等に示すように、美容機器の製造産業において利用することができるものである。
【符号の説明】
【００２６】
１００  美容機器
１１０  本体部
１２０  ディスプレイ部
１３０  温熱吸引プローブ
１４０  キャビテーションプローブ
１５０  ラジオ波プローブ
１６０  サーマルフラクションプローブ
２００  エステ剤収容具
３００  姿見
４００  椅子
【図１】
0003217315.tif 000003
【図２】
0003217315.tif 000004
【図３】
0003217315.tif 000005
【図４】
0003217315.tif 000006
【手続補正書】
【提出日】平成30年6月4日(2018.6.4)
【手続補正１】
【補正対象書類名】実用新案登録請求の範囲
【補正対象項目名】全文
【補正方法】変更
【補正の内容】
【実用新案登録請求の範囲】
【請求項１】
区画された施術室において、
ユーザの身体表面に適用して美容施術を行う１以上のプローブと、
前記プローブを用いた施術方法に関する情報を記憶する手段と、
ユーザからの操作入力を受け付ける操作入力部と、
ユーザに対して、前記プローブを用いた施術方法に関する情報を表示するディスプレイ部と、
ユーザ携帯端末との通信手段と、
ユーザ携帯端末に対し、前記プローブを用いた施術方法に関する情報を送信して表示させる手段と、
ユーザ携帯端末からユーザの会員情報を受信する手段と、
ユーザによるシステム利用条件についての同意の入力を受け付ける手段と、
前記会員情報の受信があった場合にのみ本システムの利用を許可する手段と、
ユーザによるシステム利用についてポイントを付与し、当該ポイントを前記会員情報に含めてユーザ携帯端末に送信する手段と、
ユーザの利用行動についての統計情報を収集し、本システム外部の管理センタに随時送信する手段とを有する美容機器
を備えたことを特徴とするセルフ式美容施術システム。
【請求項２】
前記プローブは、温熱吸引プローブ、キャビテーションプローブ、ラジオ波プローブ、サーマルフラクションプローブからなる群から選択される１以上のプローブであることを特徴とする請求項１に記載のセルフ式美容施術システム。
【請求項３】
前記美容機器は、前記ディスプレイ部を利用したテレビ電話機能を備えており、又は前記美容機器と連携する外部端末においてテレビ電話機能を備えており、
ユーザに対して、インストラクタとのテレビ電話による操作説明を提供可能であることを特徴とする請求項１又は２に記載のセルフ式美容施術システム。
【請求項４】
前記美容機器は、所定の安全基準を超えそうな時又は超えた時に、ユーザに対して注意喚起を行い又は動作を終了する機能を有することを特徴とする請求項１から３のいずれか１項に記載のセルフ式美容施術システム。
【請求項５】
前記美容機器は、ユーザが有する電子決済手段を用いて電子決済を行う機能を有することを特徴とする請求項１から４のいずれか１項に記載のセルフ式美容施術システム。
【請求項６】
前記美容機器は、前記ユーザ携帯端末から適正なユーザ情報を受信し、かつ、前記電子決済手段を用いて電子決済が完了した場合に限り、動作可能となっていることを特徴とする請求項５に記載のセルフ式美容施術システム。